【手続補正書】
【提出日】平成29年2月27日(2017.2.27)
【手続補正１】
【補正対象書類名】特許請求の範囲
【補正対象項目名】全文
【補正方法】変更
【補正の内容】
【特許請求の範囲】
【請求項１】
電気デバイスの電気的ステータスを監視する電気の使用状況センサ・デバイスであって、
前記電気デバイスの電力ケーブルに取付け可能な無線周波数識別センサ・デバイスを備え、
前記無線周波数識別センサ・デバイスが、
前記電気デバイスの電力使用状態の変化に応答して、前記電力ケーブル内で生成される電気パルスと磁気結合して電気信号を誘導するように動作可能なアンテナ要素と、
前記誘導された電気信号に応答して、前記電気デバイスの前記電力使用状態の変化を表すデータを記憶するメモリ要素と
を含み、
前記アンテナ要素はさらに、前記電気デバイスの前記電力使用状態の変化を表すデータ、および前記無線周波数識別センサ・デバイスを識別する識別データを、無線周波数識別リーダー・デバイスに無線で伝送するように動作可能である、前記電気の使用状況センサ・デバイス。
【請求項２】
前記アンテナ要素が、前記電気パルスとの磁気結合、およびその動作周波数範囲内でのデータ伝送の両方を実行する、請求項１に記載のデバイス。
【請求項３】
前記無線周波数識別センサ・デバイスが、遠距離場無線周波数識別タグとして動作可能である、請求項１または２に記載のデバイス。
【請求項４】
前記アンテナ要素が、ループ・アンテナを含む、請求項１から３の何れか１項に記載のデバイス。
【請求項５】
前記アンテナ要素が、前記電力ケーブルの少なくとも一部の周りに配置されて、誘導コイルを形成するように構成される、請求項１から４の何れか１項に記載のデバイス。
【請求項６】
前記電気デバイスをオンにすることによって誘導される電気信号を、前記電気デバイスをオフにすることによって誘導される電気信号と区別するように構成されたパルス検出器を備える、請求項１から５の何れか１項に記載のデバイス。
【請求項７】
前記無線周波数識別センサ・デバイスが、前記電力ケーブルを介した電磁誘導によって給電される受動型無線周波数識別タグとして動作可能である、請求項１から６の何れか１項に記載のデバイス。
【請求項８】
前記電気デバイスがオンになったときの前記電気デバイスの電力消費を表すデータを供給する電気消費測定手段をさらに備え、前記アンテナ要素によって伝送されるデータが、前記電気デバイスの電力消費を表す前記データを含む、請求項１から７の何れか１項に記載のデバイス。
【請求項９】
前記電気デバイスの前記電力使用状態の変化が検出されてからの持続時間を測定するタイマをさらに備える、請求項１から８の何れか１項に記載のデバイス。
【請求項１０】
無線周波数識別センサ・デバイスを備えたそれぞれの電力ケーブルによって電力供給ネットワークに接続された少なくとも１つの電気デバイスの電気的ステータスを監視する電気の使用状況監視装置であって、
それぞれの無線周波数識別センサ・デバイスの電力使用状態の変化を表す電気的ステータス・データを読み取る無線周波数識別リーダーモジュールを備え、各無線周波数識別センサ・デバイスが、電気デバイスのそれぞれの電力ケーブルに取り付けられ、前記電気的ステータス・データは、前記それぞれの無線周波数識別センサ・デバイスから無線で受信される、前記電気の使用状況監視装置。
【請求項１１】
前記無線周波数識別リーダーモジュールは、前記電力供給ネットワークに接続された電気メータによって測定される電力消費における変化が検出されたのに応答して、１つまたは複数の問合せ信号の伝送をトリガするように構成される、請求項１０に記載の装置。
【請求項１２】
通信ネットワークと接続して、前記通信ネットワークに接続された遠隔サーバへのデータの伝送または前記遠隔サーバからのデータの受信を可能にする、通信ネットワーク・インタフェースを備える、請求項１０または１１に記載の装置。
【請求項１３】
前記無線周波数識別リーダーモジュールが、前記通信ネットワークを介して受信されるコマンド信号に応答して、１つまたは複数の問合せ信号の伝送をトリガするように構成される、請求項１２に記載の装置。
【請求項１４】
請求項１０から１３の何れか１項に記載の装置を備える、外部データ通信ネットワークと内部データ通信ネットワークとの間のインタフェースを提供するゲートウェイ・システム。
【手続補正２】
【補正対象書類名】明細書
【補正対象項目名】００７７
【補正方法】変更
【補正の内容】
【００７７】
例示のみを目的として与えた、添付の特許請求の範囲によってのみ決定される本発明の範囲を限定することを意図していない前述の例示的な実施形態を参照すれば、当業者にはさらに多数の修正形態および変形形態が明らかになるであろう。特に、様々な実施形態の様々な特徴は、適宜相互に入れ替えることができる。  
上記の実施形態に加えて、以下の付記を開示する。
（付記１）
電気デバイス（１０１）の電気的ステータスを監視する電気の使用状況センサ・デバイスであって、
前記電気デバイスの電力ケーブル（１０２）に取付け可能なＲＦＩＤセンサ・デバイス（２００；７００）を備え、
前記ＲＦＩＤセンサ・デバイス（２００；７００）が、
前記電気デバイスの電力使用状態の変化に応答して、前記電力ケーブル内で生成される電気パルスと磁気結合して電気信号を誘導するように動作可能なアンテナ要素（２１０、７１０）と、
前記誘導された電気信号に応答して、前記電気デバイスの前記電力使用状態の変化を表すデータを記憶するメモリ要素（２３０；７３０）と
を含み、
前記アンテナ要素（２１０；７１０）はさらに、前記電気デバイスの前記電力使用状態の変化を表すデータ、および前記ＲＦＩＤセンサ・デバイス（２００、７００）を識別する識別データを、ＲＦＩＤリーダー・デバイスに無線で伝送するように動作可能である、前記電気の使用状況センサ・デバイス。
（付記２）
前記アンテナ要素（２１０；７１０）が、前記電気パルスとの磁気結合、およびその動作周波数範囲内でのデータ伝送の両方を実行する、付記１に記載のデバイス。
（付記３）
前記ＲＦＩＤセンサ・デバイス（２００；７００）が、遠距離場ＲＦＩＤタグとして動作可能である、付記１または２に記載のデバイス。
（付記４）
前記アンテナ要素（２１０；７１０）が、ループ・アンテナを含む、付記１から３の何れか１つに記載のデバイス。
（付記５）
前記アンテナ要素（２１０；７１０）が、前記電力ケーブル（１０２）の少なくとも一部の周りに配置されて、誘導コイルを形成するように構成される、付記１から４の何れか１つに記載のデバイス。
（付記６）
前記電気デバイスをオンにすることによって誘導される電気信号を、前記電気デバイスをオフにすることによって誘導される電気信号と区別するように構成されたパルス検出器（２２０；７２０）を備える、付記１から５の何れか１つに記載のデバイス。
（付記７）
前記ＲＦＩＤセンサ・デバイス（２００；７００）が、前記電力ケーブルを介した電磁誘導によって給電される受動型ＲＦＩＤタグとして動作可能である、付記１から６の何れか１つに記載のデバイス。
（付記８）
前記電気デバイスがオンになったときの前記電気デバイスの電力消費を表すデータを供給する電気消費測定手段をさらに備え、前記アンテナ要素によって伝送されるデータが、前記電気デバイスの電力消費を表す前記データを含む、付記１から７の何れか１つに記載のデバイス。
（付記９）
前記電気デバイスの前記電力使用状態の変化が検出されてからの持続時間を測定するタイマ（７４０）をさらに備える、付記１から８の何れか１つに記載のデバイス。
（付記１０）
ＲＦＩＤセンサ・デバイス（２００）を備えたそれぞれの電力ケーブル（１０２）によって電力供給ネットワークに接続された少なくとも１つの電気デバイス（１０１）の電気的ステータスを監視する電気の使用状況監視装置であって、
それぞれのＲＦＩＤセンサ・デバイス（２００）の電力使用状態の変化を表す電気的ステータス・データを読み取るＲＦＩＤリーダーモジュール（３１０）を備え、各ＲＦＩＤセンサ・デバイス（２００）が、電気デバイスのそれぞれの電力ケーブル（１０２）に取り付けられ、前記電気的ステータス・データは、前記それぞれの電力ケーブル（１０２）を介して前記それぞれのＲＦＩＤセンサ・デバイス（２００）から無線で受信される、前記電気の使用状況監視装置。
（付記１１）
前記ＲＦＩＤリーダーモジュール（３１０）は、前記電力供給ネットワークに接続された電気メータ（４００）によって測定される電力消費における変化が検出されたのに応答して、１つまたは複数の問合せ信号の伝送をトリガするように構成される、付記１０に記載の装置。
（付記１２）
通信ネットワークと接続して、前記通信ネットワークに接続された遠隔サーバへのデータの伝送または前記遠隔サーバからのデータの受信を可能にする、通信ネットワーク・インタフェースを備える、付記１０または１１に記載の装置。
（付記１３）
前記ＲＦＩＤリーダーモジュール（３１０）が、前記通信ネットワークを介して受信されるコマンド信号に応答して、１つまたは複数の問合せ信号の伝送をトリガするように構成される、付記１２に記載の装置。
（付記１４）
付記１０から１３の何れか１つに記載の装置を備える、外部データ通信ネットワークと内部データ通信ネットワークとの間のインタフェースを提供するゲートウェイ・システム。